(57)【要約】【課題】ショーケースの扉へ結露発生を効果的に抑制できる空調機器の制御装置および空調システムを提供する。【解決手段】空調機器３００の制御装置であって、収納庫１０１内に収納した商品を冷却し、収納庫１０１の開口を開閉する扉１０２を備えるショーケース１００の扉１０２の表面における結露の発生に関係する情報を取得する取得器２１０と、取得器２１０で取得された情報から扉１０２の表面に結露が発生する可能性が上昇したと判定すると、空調機器３００から出力される冷気の向きを調整する調整器３１０に冷気の向きをショーケース１００に向けさせる制御器２２０とを備える。【選択図】図２
2018091606.tif 000002
【特許請求の範囲】
【請求項１】
収納庫内に収納した商品を冷却し、前記収納庫の開口を開閉する扉を備えるショーケースの扉の表面における結露の発生に関係する情報を取得する取得器と、
前記取得器で取得された前記情報から前記扉の表面に結露が発生する可能性が上昇したと判定すると、空調機器から出力される冷気の向きを調整する調整器に前記冷気の向きを前記ショーケースに向けさせる制御器とを備える、空調機器の制御装置。
【請求項２】
前記制御器は、前記空調機器から出力される冷気の向きを調整する前記調整器に前記冷気の向きを前記ショーケースに向けさせるとともに、前記空調機器の冷房出力を増加させる、請求項１記載の空調機器の制御装置。
【請求項３】
前記制御器は、前記取得器で取得された前記情報が示す前記結露が発生する可能性が高いほど、前記空調機器の冷房出力を増加させる、請求項２記載の空調機器の制御装置。
【請求項４】
前記制御器は、前記取得器で取得された前記情報が示す前記結露が発生する可能性が高いほど、前記空調機器から出力される冷気の温度を低下させる、請求項３記載の空調機器の制御装置。
【請求項５】
前記制御器は、前記取得器で取得された前記情報が示す前記結露が発生する可能性が高いほど、前記空調機器から出力される冷気の風量を増加させる、請求項３または４記載の空調機器の制御装置。
【請求項６】
前記制御器は、前記取得器で取得された前記情報から前記ショーケースの扉の表面に結露が発生する可能性が低下したと判定すると、前記調整器によって前記冷気の向きを前記ショーケースに向けさせる制御を解除する、請求項１または２記載の空調機器の制御装置。
【請求項７】
前記情報は、前記ショーケースの扉の外の空気の相対湿度を示す情報である、請求項１−６のいずれか１項に記載の空調機器の制御装置。
【請求項８】
前記情報は、前記ショーケースの扉の表面温度と、前記ショーケースの扉の外の空気の温度との温度差を示す情報である、請求項１−６のいずれか１項に記載の空調機器の制御装置。
【請求項９】
空調機器と、
請求項１−８のいずれか１項に記載の制御装置とを備える、空調システム。
【発明の詳細な説明】
【技術分野】
【０００１】
本開示は、空調機器の制御装置および空調システムに関する。
【背景技術】
【０００２】
特許文献１は、冷蔵用または冷凍用のショーケースにおいて、透明ガラス板の表面に防露ヒータを設け、透明ガラス板の表面における結露の発生を防止できるショーケース用扉体を開示している。
【先行技術文献】
【特許文献】
【０００３】
【特許文献１】特開２０１２−１３３０４号公報
【発明の概要】
【発明が解決しようとする課題】
【０００４】
しかしながら、特許文献１の技術では、防露ヒータの熱によりショーケースの冷却負荷が増加する。
【０００５】
上記事情を鑑み、例示的な実施の形態は、従来に比べ、ショーケースの冷却負荷を低減しながら、ショーケースの扉に結露が発生する可能性を低減できる空調機器の制御装置および空調システムを提供する。
【課題を解決するための手段】
【０００６】
本開示の一態様に係る空調機器の制御装置は、収納庫内に収納した商品を冷却し、前記収納庫の開口を開閉する扉を備えるショーケースの扉の表面における結露の発生に関係する情報を取得する取得器と、前記取得器で取得された前記情報から前記扉の表面に結露が発生する可能性が上昇したと判定すると、空調機器から出力される冷気の向きを調整する調整器に前記冷気の向きを前記ショーケースに向けさせる制御器とを備える。
【０００７】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本開示の一態様に係る空調機器の制御装置又は空調システムなどを用いることにより、従来に比べ、ショーケースの冷却負荷を低減しながら、ショーケースの扉に結露が発生する可能性を低減できる。
【図面の簡単な説明】
【０００９】
【図１】図１は、実施の形態に係る空調システムの空調機器、および、ショーケースの設置例を示す外観斜視図である。
【図２】図２は、実施の形態に係る空調システムの各構成要素、および、ショーケースの設置の一例を示す平面図である。
【図３】図３は、実施の形態に係る空調システムの構成の一例を示すブロック図である。
【図４】図４は、実施の形態に係る制御装置の動作の一例を示すフローチャートである。
【図５】図５は、実施の形態に係る空調機器が通常制御を行っている場合について説明するための図である。
【図６】図６は、実施の形態に係る空調機器が風向制御を行っている場合について説明するための図である。
【発明を実施するための形態】
【００１０】
（本発明の基礎となった知見）
本発明者は、「背景技術」の欄において記載した、ショーケース用扉体に関し、以下の問題が生じることを見出した。
【００１１】
特許文献１に記載のショーケース用扉体では、防露ヒータで透明ガラス板を温めることにより結露の発生を防止しているため、防露ヒータがショーケースの冷却作用に対して負荷になる。このため、ショーケースの消費エネルギーが増加してしまうという課題があった。
【００１２】
このように、特許文献１に記載のショーケース用扉体では、ショーケースの扉への結露の発生を効果的に抑制できていなかった。
【００１３】
そこで、本開示の一態様に係る空調機器の制御装置は、収納庫内に収納した商品を冷却し、前記収納庫の開口を開閉する扉を備えるショーケースの扉の表面における結露の発生に関係する情報を取得する取得器と、前記取得器で取得された前記情報から前記扉の表面に結露が発生する可能性が上昇したと判定すると、空調機器から出力される冷気の向きを調整する調整器に前記冷気の向きを前記ショーケースに向けさせる制御器とを備える。
【００１４】
このため、ショーケースの周辺の空気の絶対湿度を効果的に低減することができ、ショーケースの扉の表面に結露が発生する可能性が低減する。また、上記制御装置により、従来の防露ヒータを設ける必要がない、または結露抑制のための防露ヒータの加熱量が低減されるので、ショーケースの冷却負荷を従来よりも低減しながら、ショーケースの扉の表面に結露が発生する可能性を低減できる。
【００１５】
ここで、ショーケースの扉の表面における結露の発生に関係する情報とは、例えば、ショーケースの扉の表面に結露が発生する可能性を示す情報であるとも言える。
【００１６】
また、前記制御器は、前記空調機器から出力される冷気の向きを調整する前記調整器に前記冷気の向きを前記ショーケースに向けさせるとともに、前記空調機器の冷房出力を増加させてもよい。
【００１７】
これによれば、ショーケースの周辺に、冷房出力が増加されて出力された冷気を吹き付けることができるため、ショーケースの扉の周辺の空気の絶対湿度を効果的に低減することができる。よって、ショーケースの扉の表面に結露が発生することを効果的に抑制することができる。
【００１８】
また、前記制御器は、前記取得器で取得された前記情報が示す前記結露が発生する可能性が高いほど、前記空調機器の冷房出力を増加させてもよい。
【００１９】
これによれば、結露が発生する可能性が高いほど、絶対湿度が低下された空気を、ショーケースの周辺に吹き付けることができる。このため、ショーケースの扉の周辺の空気の絶対湿度を効果的に低減することができる。よって、ショーケースの扉の表面に結露が発生することを効果的に抑制することができる。
【００２０】
また、前記制御器は、前記取得器で取得された前記情報が示す前記結露が発生する可能性が高いほど、前記空調機器から出力される冷気の温度を低下させてもよい。
【００２１】
これによれば、結露が発生する可能性が高いほど、絶対湿度が低下された空気を、ショーケースの周辺に吹き付けることができる。このため、ショーケースの扉の周辺の空気の絶対湿度を効果的に低減することができる。よって、ショーケースの扉の表面に結露が発生することを効果的に抑制することができる。
【００２２】
また、前記制御器は、前記取得器で取得された前記情報が示す前記結露が発生する可能性が高いほど、前記空調機器から出力される冷気の風量を増加させてもよい。
【００２３】
これによれば、結露が発生する可能性が高いほど、多い量の、絶対湿度が低下された空気を、ショーケースの周辺に吹き付けることができる。このため、ショーケースの扉の周辺の空気の絶対湿度を効果的に低減することができる。よって、ショーケースの扉の表面に結露が発生することを効果的に抑制することができる。
【００２４】
また、前記制御器は、前記取得器で取得された前記情報から前記ショーケースの扉の表面に結露が発生する可能性が低下したと判定すると、前記調整器によって前記冷気の向きを前記ショーケースに向けさせる制御を解除してもよい。
【００２５】
このため、ショーケースの扉の表面温度が下がりすぎることで、ショーケースの扉の表面に結露が発生しやすくなることを抑制することができる。
【００２６】
また、前記情報は、前記ショーケースの扉の外の空気の相対湿度を示す情報であってもよい。
【００２７】
また、前記情報は、前記ショーケースの扉の表面温度と、前記ショーケースの扉の外の空気の温度との温度差を示す情報であってもよい。
【００２８】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２９】
以下、本発明の一態様に係る空調機器の制御装置および空調システムについて、図面を参照しながら具体的に説明する。
【００３０】
なお、以下で説明する実施の形態は、いずれも本発明の一具体例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３１】
（実施の形態）
［１．構成］
図１は、実施の形態に係る空調システムの空調機器、および、ショーケースの設置例を示す外観斜視図である。図２は、実施の形態に係る空調システムの各構成要素、および、ショーケースの設置の一例を示す平面図である。図３は、実施の形態に係る空調システムの構成の一例を示すブロック図である。具体的には、図１〜図３において、ショーケース１００、結露検知器１１０、制御装置２００、および、空調機器３００が示されている。例えば、空調システム１は、これらの構成要素のうち、制御装置２００および空調機器３００を備える。
【００３２】
空調システム１は、店舗内の売場に設けられたショーケース１００が備える扉１０２の表面への結露の発生を抑制するためのシステムである。店舗は、例えば、コンビニエンスストア、スーパーマーケットなどである。図１および図２に示すように、ショーケース１００、結露検知器１１０および空調機器３００は、売場内の空間に配置されている。なお、図２では、制御装置２００が売場内に配置されているが、売場内に配置されていなくてもよい。
【００３３】
ショーケース１００は、商品を収納する収納庫１０１と、収納庫１０１に設けられた開口を開閉する扉１０２とを備える。ショーケース１００は、収納庫１０１内の空間を冷却することで、収納庫１０１内に収納した商品を冷却する。収納庫１０１は、例えば、内部空間が略直方体形状であり、複数段の棚板が配置されている。
【００３４】
扉１０２は、例えば、矩形状の透明板からなり、上下方向に延びる一辺が回転可能に支持されている。透明板は、例えば、ガラス、アクリルなどの材料により構成される。
【００３５】
扉１０２は、回転可能に支持されている部位、取っ手が取り付けられている部位、当該扉が閉じた状態を保持するための留め具（マグネット、ラッチなど）が取り付けられている部位などの特定の部位以外には他の部材が取り付けられていなくてもよい。扉１０２は、透明板の４辺の全体に亘って、不透明な部材が取り付けられていない構成であるため、扉の端部においても人の視線を極力遮らない構成とすることができ、ショーケース内部に並べられた商品の視認性を向上することができる。
【００３６】
なお、扉１０２は、回転可能に支持されているドア状の扉としたが、対向する２辺がスライドすることで収納庫１０１の開口を開閉する引き戸型の扉であってもよいし、扉の中央が折れ曲がることで収納庫１０１の開口を開閉する折れ戸型の扉であってもよい。また、扉１０２は、引き出しの前面に配置された前板であってもよい。
【００３７】
ショーケース１００は、例えば、冷蔵用ショーケース、冷凍用ショーケースなどである。
【００３８】
結露検知器１１０は、扉１０２の表面への結露に関する指標を検知する。結露検知器１１０は、検知した指標を示す情報を、扉１０２の表面における結露の発生に関係する情報として制御装置２００に送信する。結露検知器１１０は、例えば、扉１０２の外表面に配置され、配置された位置の雰囲気（つまり扉１０２の外の空気）の相対湿度を検知する湿度センサを含む。なお、結露検知器１１０は、ショーケース１００付近の空間の相対湿度が検知できる位置に配置されれば、扉１０２の外表面に配置されていなくてもよく、ショーケース１００付近の売場の壁に配置されていてもよい。
【００３９】
制御装置２００は、空調機器３００の動作を制御する装置であり、取得器２１０と、制御器２２０とを備える。
【００４０】
取得器２１０は、ショーケース１００の扉１０２の表面における結露の発生に関係する情報（以下、「結露情報」と言う。）を取得する。具体的には、取得器２１０は、結露検知器１１０が検知した相対湿度を示す情報（以下、「湿度情報」と言う。）を、結露情報として結露検知器１１０から取得する。取得器２１０は、例えば、湿度センサの出力形式に対応した通信インタフェースと、プログラムを実行するプロセッサ、および、当該プログラムを格納しているメモリとにより実現される。また、取得器２１０は、上記の構成に限らずに、上記通信インタフェースと、専用回路とにより実現されてもよい。
【００４１】
制御器２２０は、取得器２１０で取得された結露情報から扉１０２の表面に結露が発生する可能性が上昇したと判定すると、空調機器３００から出力される冷気の向きを調整する、空調機器３００が備える調整器３１０に冷気の向きをショーケース１００に向けさせる風向制御を開始する。具体的には、制御器２２０は、取得器２１０で取得された湿度情報が示す相対湿度Ｈｓｃが第１の閾値Ｈｔｈを超えていれば、扉１０２の表面に結露が発生する可能性が上昇したと判定する。制御器２２０は、例えば、制御信号を空調機器３００に出力することで、空調機器３００に風向制御を行わせる。つまり、結露情報の値が、所定の閾値を超えると、制御器２２０は、空調機器３００に風向制御を行わせる。換言すると、扉１０２の表面に結露が発生する可能性を示す情報の値が所定の閾値を超えると、制御器２２０は、空調機器３００に風向制御を行わせる。
【００４２】
また、制御器２２０は、空調機器３００から出力される冷気の向きを調整する調整器３１０に冷気の向きをショーケースに向けさせる風向制御を行うとともに、空調機器３００の冷房出力を増加させる出力増加制御を行ってもよい。制御器２２０は、制御信号を空調機器３００に出力することで、空調機器３００に出力増加制御を行わせる。また、制御器２２０は、取得器２１０で取得された結露情報が示す結露が発生する可能性が高いほど、空調機器３００の冷房出力を増加させてもよい。具体的には、制御器２２０は、取得器２１０で取得された湿度情報が示す相対湿度が高いほど、空調機器３００の冷房出力を増加させる。つまり、結露情報の値が高いほど、制御器２２０は、空調機器３００の冷房出力を増加させてもよい。換言すると、扉１０２の表面に結露が発生する可能性を示す情報の値が高いほど、制御器２２０は、空調機器３００の冷房出力を増加させてもよい。
【００４３】
制御器２２０は、取得器２１０で取得された結露情報が示す結露が発生する可能性が高いほど、空調機器３００から出力される冷気の温度を低下させてもよい。例えば、制御器２２０は、取得器２１０で取得された湿度情報が示す相対湿度が高いほど、空調機器３００から出力される冷気の温度を低下させる。つまり、制御器２２０は、空調機器３００から出力される冷気の温度を低下させることで、空調機器３００の冷房出力を増加させる。
【００４４】
また、制御器２２０は、取得器２１０で取得された結露情報が示す結露が発生する可能性が高いほど、空調機器３００から出力される冷気の風量を増加させてもよい。例えば、制御器２２０は、取得器２１０で取得された湿度情報が示す相対湿度が高いほど、空調機器３００から出力される冷気の風量を増加させる。つまり、制御器２２０は、空調機器３００から出力される冷気の風量を増加させることで、空調機器３００の冷房出力を増加させる。
【００４５】
また、制御器２２０は、取得器２１０で取得された結露情報からショーケース１００の扉１０２に結露が発生する可能性が低下したと判定すると、調整器３１０によって冷気の向きをショーケース１００に向けさせる制御を解除してもよい。具体的には、制御器２２０は、取得器２１０で取得された湿度情報が示す相対湿度Ｈｓｃが第１の閾値Ｈｔｈ以下となったと判定すると、調整器３１０によって冷気の向きをショーケース１００に向けさせる制御を解除する。つまり、結露情報の値が、所定の閾値以下であると、制御器２２０は、空調機器３００の風向制御を解除させてもよい。換言すると、扉１０２の表面に結露が発生する可能性を示す情報の値が所定の閾値以下であると、制御器２２０は、空調機器３００の風向制御を解除させてもよい。なお、この場合、制御器２２０は、空調機器３００の冷房出力を増加させる制御も行っている場合には、調整器３１０によって冷気の向きをショーケース１００に向けさせる制御を解除するとともに、空調機器３００の冷房出力を増加させる制御も解除する。
【００４６】
制御器２２０は、例えば、空調機器３００に対して制御信号を送信するための通信インタフェースと、プログラムを実行するプロセッサ、および、当該プログラムを格納しているメモリとにより実現される。また、制御器２２０は、上記の構成に限らずに、上記通信インタフェースと、専用回路とにより実現されてもよい。
【００４７】
空調機器３００は、調整器３１０と、制御器３２０とを備える。空調機器３００は、売場の例えば天井に配置される、天井埋込形の室内機を備える。なお、当該室内機に対応する室外機は、図示していない。空調機器３００の室内機は、天井埋込形に限らずに、天吊形、壁掛形、床置形などであってもよい。空調機器３００は、少なくとも冷房運転を行うことが可能な空調機器であり、冷房専用機であってもよいし、冷房運転または暖房運転を選択的に切り替えて行う冷暖機であってもよい。
【００４８】
調整器３１０は、空調機器３００の室内機の吹出口に設けられ、吹出口から吹き出される空気が流れる向きを調整する。調整器３１０は、例えば、回転可能な板状のフラップにより実現される。フラップは、水平方向に延びる軸を回転軸として回転する構成であってもよいし、垂直方向に延びる軸を回転軸として回転する構成であってもよい。本実施の形態の調整器３１０は、後述する図５、６に示すように、水平方向に延びる軸３１１を回転軸として回転するフラップにより実現されるものとして説明する。
【００４９】
制御器３２０は、制御装置２００から出力される制御信号を受信し、受信した制御信号に従って、調整器３１０の動作を制御する。また、制御器３２０は、制御装置２００から出力される制御信号に従って、空調機器３００の冷房出力を制御してもよいし、空調機器３００から出力される冷気の温度を制御してもよいし、空調機器３００から出力される冷気の風量を制御してもよい。制御器３２０は、例えば、制御装置２００から制御信号を受信するための通信インタフェースと、プログラムを実行するプロセッサ、および、当該プログラムを格納しているメモリとにより実現される。また、制御器３２０は、上記の構成に限らずに、上記通信インタフェースと、専用回路とにより実現されてもよい。
【００５０】
［２．動作］
次に、空調システム１の制御装置２００の動作について説明する。図４は、制御装置の動作の一例を示すフローチャートである。
【００５１】
まず、制御装置２００の取得器２１０は、結露検知器１１０が検知した、ショーケース１００周辺の相対湿度Ｈｓｃを示す湿度情報を結露検知器１１０から取得する（Ｓ１０１）。
【００５２】
次に、制御装置２００の制御器２２０は、取得器２１０で取得された湿度情報が示す相対湿度Ｈｓｃが第１の閾値Ｈｔｈを超えているか否かを判定する（Ｓ１０２）。
【００５３】
制御器２２０は、相対湿度Ｈｓｃが第１の閾値Ｈｔｈを超えていると判定すれば（Ｓ１０２でＹｅｓ）、空調機器３００が備える調整器３１０に冷気の向きをショーケース１００に向けさせる風向制御を開始する（Ｓ１０３）。具体的には、制御器２２０は、風向制御を空調機器３００に行わせるための制御信号を空調機器３００へ出力する。この時、制御器２２０は、風向制御を開始すると共に、出力増加制御を開始してもよい。
【００５４】
ここで、風向制御について、図５および図６を用いて具体的に説明する。
【００５５】
図５は、実施の形態に係る空調機器が通常制御を行っている場合について説明するための図である。図６は、実施の形態に係る空調機器が風向制御を行っている場合について説明するための図である。図５および図６において、（ａ）は、ショーケース１００と空調機器３００との関係を水平方向から見た概略図であり、（ｂ）は、（ａ）で示す空調機器３００の吹出口３０１付近の拡大図である。
【００５６】
空調機器３００、通常制御時には、図５の（ａ）に示すように調整器３１０を、第１の角度範囲内の角度に調整する。第１の角度範囲は、例えば、水平方向を０度とし、垂直方向を９０度としたときの１０〜８０度の角度範囲である。具体的には、空調機器３００は、冷房運転時の通常制御においては、図５に示すように、制御器３２０は、天井４００に沿って冷気が吹き出させるように調整器３１０の角度を制御する。制御器３２０は、例えば、調整器３１０が第１の角度範囲のうちの上限の角度となるように制御する。上限の角度は、第１の角度範囲のうち最も水平方向に近い角度であり、例えば、１０度である。制御器３２０は、通常制御時には、上記の制御に限らずに、第１の角度範囲内であれば調整器３１０をどの角度に制御してもよい。つまり、制御器３２０は、第１の角度範囲の全域に亘って調整器３１０をスイングさせる制御を行ってもよいし、第１の角度範囲内の所定の角度（例えばユーザにより設定された任意の角度）で調整器３１０を固定させる制御を行ってもよい。
【００５７】
空調機器３００では、冷房運転時の風向制御が開始されると、図６に示すように、第１の角度範囲よりも角度範囲が狭い第２の角度範囲に調整器３１０の角度を制御する。第２の角度範囲は、調整器３１０がショーケース１００の側面（本実施の形態では扉１０２）に向かう角度範囲であり、ショーケース１００の扉１０２の上端を向く角度から、扉１０２の下端を向く角度までの角度範囲である。本実施の形態では、第２の角度範囲は、例えば、２５〜６５度の角度範囲である。なお、第２の角度範囲は、調整器３１０がショーケース１００の扉１０２の方向を向く角度範囲であればよく、例えば、４０〜５０度などに固定された角度範囲に設定されていてもよいし、ショーケース１００と空調機器３００との位置関係に応じて適切な角度範囲に設定されてもよい。また、第２の角度範囲は、例えば、４０度、４５度、５０度などのように固定された一つの角度に設定されていてもよい。
【００５８】
上述したように、空調機器３００では、風向制御が開始されると第２の角度範囲で調整器３１０の角度を制御するため、空調機器３００から吹き出される冷気をショーケース１００の扉１０２に当てることができる。
【００５９】
図４に戻り、取得器２１０は、再び、結露検知器１１０が検知した、ショーケース１００周辺の相対湿度Ｈｓｃを示す湿度情報を結露検知器１１０から取得する（Ｓ１０４）。
【００６０】
制御器２２０は、取得器２１０で取得された湿度情報が示す相対湿度Ｈｓｃが第１の閾値Ｈｔｈ以下であるか否かを判定する（Ｓ１０５）。
【００６１】
制御器２２０は、取得器２１０で取得された湿度情報が示す相対湿度Ｈｓｃが第１の閾値Ｈｔｈ以下であると判定すれば（Ｓ１０５でＹｅｓ）、風向制御を解除して通常制御に切り替える（Ｓ１０６）。具体的には、制御器２２０は、風向制御を空調機器３００に停止させて通常制御に切り替えるための制御信号を空調機器３００へ出力する。この時、制御器２２０は、空調機器３００が出力増加制御も行っていれば、出力増加制御を解除させてもよい。
【００６２】
制御器２２０は、取得器２１０で取得された湿度情報が示す相対湿度Ｈｓｃが第１の閾値Ｈｔｈを超えていると判定すれば（Ｓ１０５でＮｏ）、ステップＳ１０４の処理を繰り返す。
【００６３】
制御器２２０は、相対湿度Ｈｓｃが第１の閾値Ｈｔｈ以下であると判定する（Ｓ１０２でＮｏ）、または、風向制御を解除する（Ｓ１０６）と、ステップＳ１０１の処理に戻る。
【００６４】
なお、ステップＳ１０４〜Ｓ１０６の処理は、必ずしも、行われなくてもよい。
【００６５】
［３．効果など］
本実施の形態に係る制御装置２００によれば、ショーケース１００の扉１０２の表面に結露が発生する可能性が上昇したと判定すると、調整器３１０を制御することで、空調機器３００から出力される冷気の向きをショーケース１００の扉１０２に向けさせる。このため、ショーケース１００の扉１０２の周辺の空気の絶対湿度を効果的に低減することができ、扉１０２の表面に結露が発生する可能性が低減する。また、上記制御装置２００により、従来の防露ヒータを設ける必要がない、または結露抑制のための防露ヒータの加熱量が低減されるので、ショーケース１００の冷却負荷を従来よりも低減しながら、ショーケース１００の扉１０２の表面に結露が発生する可能性を低減できる。
【００６６】
また、本実施の形態に係る制御装置２００において、制御器２２０は、空調機器３００から出力される冷気の向きを調整する調整器３１０に冷気の向きをショーケースに向けさせるとともに、空調機器３００の冷房出力を増加させる。つまり、ショーケース１００の扉１０２の周辺に、冷房出力が増加されて出力された冷気を吹き付けることができるため、ショーケース１００の扉１０２の周辺の空気の絶対湿度を効果的に低減することができる。よって、扉１０２の表面に結露が発生することを効果的に抑制することができる。
【００６７】
また、本実施の形態に係る制御装置２００において、制御器２２０は、取得器２１０で取得された結露情報が示す結露が発生する可能性が高いほど、空調機器３００の冷房出力を増加させる。つまり、結露が発生する可能性が高いほど、絶対湿度が低下された空気を、ショーケース１００の扉１０２の周辺に吹き付けることができる。このため、ショーケース１００の扉１０２の周辺の空気の絶対湿度を効果的に低減することができる。よって、扉１０２の表面に結露が発生することを効果的に抑制することができる。
【００６８】
また、本実施の形態に係る制御装置２００において、制御器２２０は、取得器２１０で取得された結露情報が示す結露が発生する可能性が高いほど、空調機器３００から出力される冷気の温度を低下させる。つまり、結露が発生する可能性が高いほど、絶対湿度が低下された空気を、ショーケース１００の扉１０２の周辺に吹き付けることができる。このため、ショーケース１００の扉１０２の周辺の空気の絶対湿度を効果的に低減することができる。よって、扉１０２の表面に結露が発生することを効果的に抑制することができる。
【００６９】
また、本実施の形態に係る制御装置２００において、制御器２２０は、取得器２１０で取得された結露情報が示す結露が発生する可能性が高いほど、空調機器３００から出力される冷気の風量を増加させる。つまり、結露が発生する可能性が高いほど、多い量の、絶対湿度が低下された空気を、ショーケース１００の扉１０２の周辺に吹き付けることができる。このため、ショーケース１００の扉１０２の周辺の空気の絶対湿度を効果的に低減することができる。よって、扉１０２の表面に結露が発生することを効果的に抑制することができる。
【００７０】
また、本実施の形態に係る制御装置２００において、制御器２２０は、取得器２１０で取得された結露情報からショーケース１００の扉１０２に結露が発生する可能性が低下したと判定すると、調整器３１０によって冷気の向きをショーケースに向けさせる制御を解除する。このため、ショーケース１００の扉１０２の表面温度が下がりすぎることで、扉１０２の表面に結露が発生しやすくなることを抑制することができる。
【００７１】
［４．変形例］
［４−１．変形例１］
上記実施の形態では、制御器２２０は、取得器２１０で取得された湿度情報が示す相対湿度Ｈｓｃが第１の閾値Ｈｔｈ以下であるか否かを判定することにより、風向制御を解除するか否かを判定するとしたがこれに限らない。例えば、制御器２２０は、ショーケース１００の扉１０２の表面温度を用いて、風向制御を解除するか否かを判定してもよい。
【００７２】
この場合、結露検知器１１０は、扉１０２の外表面の温度を検知する温度センサをさらに含む。なお、扉１０２の外表面の温度の検知には、湿度センサが扉１０２の表面に配置されていれば、当該湿度センサが温度も検知することができるため、第１温度センサを用いずに湿度センサを用いてもよい。
【００７３】
制御装置２００では、取得器２１０は、結露検知器１１０が検知した扉１０２の外表面の温度を示す情報（以下、「温度情報」と言う。）を、結露情報として結露検知器１１０から取得する。
【００７４】
制御器２２０は、取得器２１０で取得された温度情報からショーケース１００の扉１０２の表面温度が第２の閾値以下に低下したと判定すると、調整器３１０によって冷気の向きをショーケース１００に向けさせる風向制御を解除する。
【００７５】
なお、第２の閾値は、固定値であってもよいし、風向制御前の扉１０２の表面温度から所定の温度（例えば、３℃など）だけ低い温度に設定されてもよい。
【００７６】
また、第２の閾値は、湿度センサが検知した相対湿度およびショーケース１００周辺の空気の温度を用いて求められる、ショーケース１００の周辺の空気の露点温度に応じて設定されてもよい。例えば、第２の閾値は、露点温度よりも所定の温度（例えば、３℃など）だけ高い温度に設定されていてもよい。
【００７７】
これにより、冷風をショーケース１００に向けることにより、扉１０２の表面温度が低下しすぎて、扉１０２の表面に結露が発生しやすくなることを抑制できる。
【００７８】
［４−２．変形例２］
上記実施の形態では、制御器２２０は、取得器２１０で取得された結露情報からショーケース１００の扉１０２に結露が発生する可能性が低下したと判定すると、風向制御を解除するとしたが、これに限らない。例えば、制御器２２０は、風向制御を解除する代わりに、冷房出力を低下させる制御を行ってもよい。つまり、制御器２２０は、この場合、空調機器３００から出力される冷気の温度を上昇させてもよいし、空調機器３００から吹き出される冷気の風量を減少させてもよい。
【００７９】
［４−３．変形例３］
上記実施の形態では、制御器２２０は、ショーケース１００の周辺の空気の相対湿度に応じて、ショーケース１００の扉１０２の表面に結露が発生する可能性が高いか否かを判定するとしたが、結露情報として上記相対湿度を用いることに限らない。
【００８０】
例えば、制御器２２０は、ショーケース１００の開口に冷気によるエアカーテンを発生させている場合、当該エアカーテンの吸込口での相対湿度を用いて、ショーケース１００の扉１０２の表面に結露が発生する可能性が高いか否かを判定してもよい。この場合、結露検知器１１０は、エアカーテンの吸込口に配置された湿度センサにより実現される。
【００８１】
例えば、制御器２２０は、結露情報としてショーケース１００の内部空間の温度と、ショーケース１００の外部空間の温度との温度差を用いて、ショーケース１００の扉１０２の表面に結露が発生する可能性が高いか否かを判定してもよい。
【００８２】
この場合、結露検知器１１０は、ショーケース１００の内部空間の温度を検知する第１温度センサと、ショーケース１００の外部空間の温度を検知する第２温度センサとにより実現される。なお、ショーケース１００の扉１０２の外部空間の温度（つまり、売場の温度）は、外気温と相関性が高いため、外部の機器（サーバなど）から外気温を示す情報を取得することで扉１０２の外部空間の温度を検知してもよい。
【００８３】
また、例えば、制御器２２０は、結露情報として相対湿度および温度差を用いずに、結露センサの検知結果を用いることにより、ショーケース１００の扉１０２の表面に結露が発生する可能性が高いか否かを判定してもよい。つまり、制御器２２０は、結露センサの検知レベルが所定レベルを超えると、ショーケース１００の扉１０２の表面に結露が発生する可能性が高いか否かを判定する。この場合、結露検知器１１０は、結露センサで実現される。
【００８４】
また、例えば、制御器２２０は、結露情報として外気温を用いて、ショーケース１００の扉１０２の表面に結露が発生する可能性が高いか否かを判定してもよい。つまり、制御器２２０は、外気温が所定の温度を超えると、ショーケース１００の扉１０２の表面に結露が発生する可能性が高いか否かを判定する。この場合、結露検知器１１０は、屋外に設けられた温度センサ、または、外部の機器（サーバ）から外気温を示す情報を取得する通信装置で実現される。
【００８５】
また、例えば、制御器２２０は、結露情報として外気の相対湿度を用いて、ショーケース１００の扉１０２の表面に結露が発生する可能性が高いか否かを判定してもよい。つまり、制御器２２０は、外気の湿度が所定の湿度を超えると、ショーケース１００の扉１０２の表面に結露が発生する可能性が高いか否かを判定する。この場合、結露検知器１１０は、屋外に設けられた湿度センサ、または、外部の機器（サーバ）から外気の相対湿度を示す情報を取得する通信装置で実現される。
【００８６】
また、例えば、制御器２２０は、結露情報として店舗のドアの単位時間あたりの開閉数を用いて、ショーケース１００の扉１０２の表面に結露が発生する可能性が高いか否かを判定してもよい。つまり、制御器２２０は、ドアの単位時間あたりの開閉数が所定数を超えると、ショーケース１００の扉１０２の表面に結露が発生する可能性が高いと判定する。この場合、結露検知器１１０は、ドアの開閉をカウントするカウンターにより実現される。
【００８７】
［４−４．変形例４］
上記実施の形態およびその変形例１〜３において、制御器２２０は、結露検知器１１０が連続している所定期間において検知した複数の値の平均値を用いて、ショーケース１００の扉１０２の表面に結露が発生する可能性が高いか否かを判定してもよい。
【００８８】
以上、本発明の一つまたは複数の態様に係る空調機器３００の制御装置２００について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【００８９】
本開示は、従来に比べ、ショーケースの冷却効果を低減しながら、ショーケースの扉に結露が発生する可能性を低減できる空調機器の制御装置などとして有用である。
【符号の説明】
【００９０】
１  空調システム
１００  ショーケース
１０１  収納庫
１０２  扉
１１０  結露検知器
２００  制御装置
２１０  取得器
２２０  制御器
３００  空調機器
３０１  吹出口
３１０  調整器
３１１  軸
３２０  制御器
４００  天井
【図１】
2018091606.tif 000003
【図２】
2018091606.tif 000004
【図３】
2018091606.tif 000005
【図４】
2018091606.tif 000006
【図５】
2018091606.tif 000007
【図６】
2018091606.tif 000008